【手続補正書】
【提出日】平成24年10月30日(2012.10.30)
【手続補正１】
【補正対象書類名】明細書
【補正対象項目名】０００６
【補正方法】変更
【補正の内容】
【０００６】
上記目的を達成するために、本発明の第１の観点に係るブックオンデマンド管理サーバは、
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、を備え、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とする。
【手続補正２】
【補正対象書類名】明細書
【補正対象項目名】０００７
【補正方法】削除
【補正の内容】
【手続補正３】
【補正対象書類名】明細書
【補正対象項目名】００１５
【補正方法】変更
【補正の内容】
【００１５】
上記目的を達成するために、本発明の第２の観点に係るブックオンデマンド管理システムは、
ブックオンデマンド管理サーバを備えるブックオンデマンド管理システムであって、
前記ブックオンデマンド管理サーバは、
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、を備え、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とする。
【手続補正４】
【補正対象書類名】明細書
【補正対象項目名】００１６
【補正方法】変更
【補正の内容】
【００１６】
上記目的を達成するために、本発明の第３の観点に係るプログラムは、
コンピュータを、
ブックオンデマンド管理サーバとして機能させるプログラムであって、
当該プログラムは、当該コンピュータを、
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、として機能させ、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とする。
【手続補正５】
【補正対象書類名】特許請求の範囲
【補正対象項目名】全文
【補正方法】変更
【補正の内容】
【特許請求の範囲】
【請求項１】
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、を備え、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とするブックオンデマンド管理サーバ。
【請求項２】
請求項１に記載のブックオンデマンド管理サーバであって、
前記送信手段は、前記挿入手段により前記選択された広告が挿入された電子書籍を印刷および製本したときの価格を示す情報と、当該選択された広告が挿入されていない電子書籍を印刷および製本したときの価格を示す情報と、をさらに前記ユーザ端末に送信する、
ことを特徴とするブックオンデマンド管理サーバ。
【請求項３】
請求項１又は２に記載のブックオンデマンド管理サーバであって、
前記選択手段は、前記取得された電子書籍に含まれる所定のキーワードが対応付けられた広告を、前記取得された電子書籍に挿入する広告として選択する、
ことを特徴とするブックオンデマンド管理サーバ。
【請求項４】
請求項１乃至３のいずれか１項に記載のブックオンデマンド管理サーバであって、
前記受信手段は、前記ユーザのプロフィール情報を、前記ユーザ端末からさらに受信し、
前記選択手段は、前記取得された電子書籍の内容と前記受信されたプロフィール情報とに基づいて、前記取得された電子書籍に挿入する広告を選択する、
ことを特徴とするブックオンデマンド管理サーバ。
【請求項５】
請求項４に記載のブックオンデマンド管理サーバであって、
前記プロフィール情報は、前記ユーザの所在地を特定する情報を含み、
前記選択手段は、前記ユーザの所在地に在住する人向けの広告を、前記取得された電子書籍に挿入する広告として選択する、
ことを特徴とするブックオンデマンド管理サーバ。
【請求項６】
請求項４に記載のブックオンデマンド管理サーバであって、
前記プロフィール情報は、前記ユーザの年齢もしくは性別を特定する情報を含み、
前記選択手段は、前記ユーザの年齢もしくは性別の人向けの広告を、前記取得された電子書籍に挿入する広告として選択する、
ことを特徴とするブックオンデマンド管理サーバ。
【請求項７】
請求項１乃至６のいずれか１項に記載のブックオンデマンド管理サーバであって、
前記挿入手段は、前記取得された電子書籍に前記選択された広告を挿入するとともに、当該電子書籍に、当該広告に関するサイトにリンク可能であって当該電子書籍の内容を特定可能なバーコードをさらに挿入する、
ことを特徴とするブックオンデマンド管理サーバ。
【請求項８】
請求項４に記載のブックオンデマンド管理サーバであって、
前記挿入手段は、前記取得された電子書籍に前記選択された広告を挿入するとともに、当該電子書籍に、当該広告に関するサイトにリンク可能であって前記プロフィール情報を特定可能なバーコードをさらに挿入する、
ことを特徴とするブックオンデマンド管理サーバ。
【請求項９】
ブックオンデマンド管理サーバを備えるブックオンデマンド管理システムであって、
前記ブックオンデマンド管理サーバは、
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、を備え、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とするブックオンデマンド管理システム。
【請求項１０】
コンピュータを、
ブックオンデマンド管理サーバとして機能させるプログラムであって、
当該プログラムは、当該コンピュータを、
ユーザにより指定された電子書籍を特定する情報を、当該ユーザが操作するユーザ端末から受信する受信手段、
前記受信された情報により特定される電子書籍を取得する取得手段、
前記取得された電子書籍の内容に基づいて、当該電子書籍に挿入する広告の候補から、当該電子書籍に挿入する広告を選択する選択手段、
前記取得された電子書籍に、前記選択された広告を挿入する挿入手段、
前記取得された電子書籍に前記選択された広告を挿入するか否かの問い合わせを示す情報、を前記ユーザ端末に送信する送信手段、として機能させ、
前記受信手段は、前記取得された電子書籍に前記選択された広告を挿入することの可否を示す情報と前記取得された電子書籍への前記選択された広告の挿入が許可される場合の当該広告の挿入の程度を示す情報とを前記ユーザ端末から受信し、
前記挿入手段は、前記取得された電子書籍に、前記受信された情報により示される程度の広告を挿入し、
前記送信手段は、前記受信された情報により前記選択された広告を挿入することを許可することが示されている場合、前記挿入手段により前記選択された広告が挿入された電子書籍を、当該電子書籍の印刷および製本を管理する印刷管理サーバに送信し、当該受信された情報により当該選択された広告を挿入することが許可されていないことが示されている場合、前記取得された電子書籍を当該印刷管理サーバに送信する、
ことを特徴とするプログラム。